(57)【要約】【課題】注射対象領域とノズル部との間で所望の接触状態を好適に形成及び維持することができる無針注射器を提供する。【解決手段】注射針を介することなく、注射対象領域を押圧した状態で注射目的物質を射出することによって、該注射目的物質を該注射対象領域に注射する無針注射器であって、ノズル部と押圧部とを備え、該ノズル部は、その先端面が想定位置を含んだ想定範囲に属するように形成される。想定位置は、押圧部の先端面が形成する所定領域の幅に基づいて定められ、想定範囲は、その範囲の全てが、無針注射器のハウジングの所定端部と押圧部の先端面との間の範囲に含まれる。そして、注射対象領域が押圧部によって押圧されると、所定端部と押圧部の先端面との間の範囲に属し、且つ押圧部によって囲まれた空間が、所定領域に存在する注射対象領域を収容し、更にノズル部の先端面に注射対象領域が当接する。【選択図】図６
2020014530.tif 000002
【特許請求の範囲】
【請求項１】
注射針を介することなく、注射対象領域を押圧した状態で注射目的物質を射出することによって、該注射目的物質を該注射対象領域に注射する無針注射器であって、
前記無針注射器のハウジングに設けられた、前記注射目的物質を収容する収容部と、
前記ハウジングに設けられ、前記収容部に収容された前記注射目的物質を射出するための射出エネルギーを発生させる駆動部と、
前記ハウジングの前記収容部の側の所定の端部である所定端部から突出して設けられたノズル部であって、前記駆動部により発生された射出エネルギーが付与された前記注射目的物質を前記注射対象領域に向かって射出する射出口が形成されたノズル部と、
前記ノズル部を囲むように前記所定端部から突出して設けられた押圧部であって、その先端面が前記注射対象領域と接触したときに、該注射対象領域において該先端面によって囲まれた所定領域を形成するように構成された押圧部と、
を備え、
前記ノズル部は、その先端面が、前記ハウジングの軸方向において該先端面が位置することが想定される想定位置を含んだ位置範囲である想定範囲に属するように形成され、
前記想定位置は、前記所定領域の幅に基づいて定められ、
前記想定範囲は、前記想定位置から前記ハウジングの軸方向に所定距離変位した位置を含んで定められる位置範囲であって、且つ、その範囲の全てが、前記ハウジングの軸方向における前記所定端部と前記押圧部の先端面との間の範囲に含まれ、
前記注射対象領域が前記押圧部によって押圧されると、前記ハウジングの軸方向における前記所定端部と前記押圧部の先端面との間の範囲に属し、且つ前記押圧部によって囲まれた空間が、前記所定領域に存在する前記注射対象領域を収容し、更に前記ノズル部の先端面に前記注射対象領域が当接するように構成される、
無針注射器。
【請求項２】
前記押圧部は、円筒状に形成され、
前記想定位置は、前記ハウジングの軸方向における、前記ノズル部の先端面と前記押圧部の先端面との間の距離が、前記押圧部の内径の１／３０以上で且つ１／１６以下となる位置として定義される、
請求項１に記載の無針注射器。
【請求項３】
前記押圧部は、円筒状に形成され、且つ、その内周面と外周面との間隔が、軸方向に沿って先端面に向かうに従って徐々に小さくなるテーパ形状を有する、
請求項１又は請求項２に記載の無針注射器。
【請求項４】
前記ノズル部は、その径が、先端面に向かうに従って徐々に小さくなるように形成される、
請求項１から請求項３の何れか１項に記載の無針注射器。
【発明の詳細な説明】
【技術分野】
【０００１】
本発明は、注射針を介することなく、注射目的物質を注射対象領域に注射する無針注射器に関する。
【背景技術】
【０００２】
注射針を介することなく注射液を射出し、対象物に注射を行う無針注射器が広く知られている。例えば、特許文献１には、その先端側に吸引カップが取り付けられた無針注射器が開示されている。当該技術では、吸引カップが患者の皮膚に押し当てられた状態で、該吸引カップ内が負圧にされる。
【０００３】
また、特許文献２には、アンプルのオリフィスから注入液が射出される注射装置において、アンプルの先端にアダプタが取り付けられることが開示されている。
【先行技術文献】
【特許文献】
【０００４】
【特許文献１】米国特許出願公開第２０１５／０２４６１８３号明細書
【特許文献２】米国特許第６７５２７８０号明細書
【発明の概要】
【発明が解決しようとする課題】
【０００５】
無針注射器では、注射目的物質を射出する射出口が形成されたノズル部が備えられる。このような無針注射器において、射出口から射出される注射目的物質を的確に注射対象領域の目的部位に届けるためには、注射対象領域とノズル部との間で適切な接触状態が形成されなければならない。なお、このように、注射対象領域の目的部位への注射目的物質の的確な送達を可能にする注射対象領域とノズル部との間の接触状態を、以下「所望の接触状態」と称することもある。
【０００６】
しかしながら、注射対象領域とノズル部との間の接触状態は、ユーザの手技差等に起因して変化し得る。したがって、ユーザによってノズル部が注射対象領域の表面に単に押し付けられるだけでは、所望の接触状態の形成が困難となることがある。
【０００７】
ここで、特許文献１に記載の無針注射器によれば、吸引カップ内が負圧にされることで患者の皮膚が該吸引カップ内に吸引される。その結果、患者の皮膚と射出ポートとが接触せしめられる。このような無針注射器では、注射が実行される前に吸引カップ内に負圧を形成する必要があるため、注射を行う際のユーザの負担が増加してしまう。
【０００８】
本発明は、上記した問題に鑑み、注射対象領域とノズル部との間で所望の接触状態を好適に形成することができる無針注射器を提供することを目的とする。
【課題を解決するための手段】
【０００９】
本発明の無針注射器は、ノズル部と押圧部とを備え、該ノズル部は、その先端面が想定範囲に属するように形成される。ここで、想定範囲は、注射対象領域の所定領域の幅に基づいて定められる想定位置を含んだ位置範囲であって、その範囲の全てが、ハウジングの所定端部と押圧部の先端面との間の範囲に含まれる。そして、注射対象領域が押圧部によって押圧されると、押圧部によって囲まれた空間が、所定領域に存在する注射対象領域を収容し、更にノズル部の先端面に注射対象領域が当接する。このような構成により、注射対象領域とノズル部との間で所望の接触状態を好適に形成することができる。
【００１０】
具体的には、本発明の無針注射器は、注射針を介することなく、注射対象領域を押圧した状態で注射目的物質を射出することによって、該注射目的物質を該注射対象領域に注射する無針注射器であって、前記無針注射器のハウジングに設けられた、前記注射目的物質を収容する収容部と、前記ハウジングに設けられ、前記収容部に収容された前記注射目的物質を射出するための射出エネルギーを発生させる駆動部と、前記ハウジングの前記収容部の側の所定の端部である所定端部から突出して設けられたノズル部であって、前記駆動部により発生された射出エネルギーが付与された前記注射目的物質を前記注射対象領域に向かって射出する射出口が形成されたノズル部と、前記ノズル部を囲むように前記所定端部から突出して設けられた押圧部であって、その先端面が前記注射対象領域と接触したときに、該注射対象領域において該先端面によって囲まれた所定領域を形成するように構成された押圧部と、を備える。そして、本発明の無針注射器では、前記ノズル部は、その先端面が、前記ハウジングの軸方向において該先端面が位置することが想定される想定位置を含んだ位置範囲である想定範囲に属するように形成され、前記想定位置は、前記所定領域の幅に基づいて定められ、前記想定範囲は、前記想定位置から前記ハウジングの軸方向に所定距離変位した位置を含んで定められる位置範囲であって、且つ、その範囲の全てが、前記ハウジングの軸方向における前記所定端部と前記押圧部の先端面との間の範囲に含まれ、前記注射対象領域が前記押圧部によって押圧されると、前記ハウジングの軸方向における前記所定端部と前記押圧部の先端面との間の範囲に属し、且つ前記押圧部によって囲まれた空間が、前記所定領域に存在する前記注射対象領域を収容し、更に前記ノズル部の先端面に前記注射対象領域が当接するように構成される。
【００１１】
ここで、例えば押圧部が円筒状に形成される場合、上記の所定領域の幅は押圧部の内径と等しくなる。また、仮に押圧部の内径が一定でない場合には、所定領域の幅に押圧部の代表内径（例えば、内径の最大値）を用いてもよい。そして、この所定領域の幅は、注射対象領域が押圧部によって押圧されたときに、押圧部によって囲まれた空間において盛り上がる注射対象領域の盛り上がり高さと相関を有する。そこで、本発明の無針注射器では、ノズル部の先端面が位置することが想定される想定位置が所定領域の幅に基づいて定められる。そして、このように定められる想定位置が、ハウジングの軸方向における所定端部と押圧部の先端面との間の範囲（以下、「注射器先端範囲」と称する場合もある。）に含まれる。そうすると、ノズル部の先端面が想定位置に設けられる場合、ノズル部の先端面は、押圧部の先端面からハウジングの軸方向に凹んで形成されることになる。この場合、注射器先端範囲に属し且つ押圧部によって囲まれた空間（以下、「注射器先端空間」と称する場合もある。）には注射対象領域が盛り上がるための余地が確保され易くなり、注射器先端空間においてノズル部の先端面に向かって盛り上がった注射対象領域が、該先端面に当接することになる。
【００１２】
なお、注射対象領域の盛り上がり高さは、注射対象領域に対する押圧部による押圧条件が変化することによっても変化し得る。そこで、想定位置からハウジングの軸方向に所定距離変位した位置を含んで定められる位置範囲として、想定範囲が定義される。ここで、所定距離は、押圧条件の変化等によって生じ得る盛り上がり高さのばらつきに応じて定義される。つまり、想定範囲は、注射対象領域の盛り上がり高さのばらつきを考慮した想定位置の範囲である。そして、想定範囲も、想定位置と同様に注射器先端範囲に含まれる。
【００１３】
そして、ノズル部が、その先端面が上述した想定範囲に属するように形成されると、所定領域に存在する注射対象領域の盛り上がりがノズル部によって阻害される事態が可及的に抑制され、注射器先端空間において、注射対象領域がノズル部の先端面に向かって自然に盛り上がる。そうすると、注射対象領域とノズル部の先端面とが自然に接触せしめられる。これによれば、押圧部によって注射対象領域が押圧された状態において仮に注射器に傾きが生じたとしても、注射対象領域とノズル部の先端面との間に隙間を生じさせること
なく、注射対象領域とノズル部の先端面とが接触せしめられる。つまり、注射対象領域とノズル部との間で所望の接触状態が形成される。
【００１４】
以上に述べた無針注射器によれば、注射対象領域とノズル部との間で所望の接触状態を好適に形成することができ、注射対象領域の目的部位への注射目的物質の投与を、的確に且つ安定して再現良く行うことが可能となる。
【００１５】
ここで、本発明の無針注射器において、前記押圧部が、円筒状に形成され、前記想定位置が、前記ハウジングの軸方向における、前記ノズル部の先端面と前記押圧部の先端面との間の距離が、前記押圧部の内径の１／３０以上で且つ１／１６以下となる位置として定義されてもよい。こうすることで、注射対象領域とノズル部との間で所望の接触状態がより好適に形成され、これにより、注射対象領域の目的部位への注射目的物質の投与を、的確に且つ安定して再現良く行うことが可能となる。
【００１６】
なお、前記押圧部は、円筒状に形成され、且つ、その内周面と外周面との間隔が、軸方向に沿って先端面に向かうに従って徐々に小さくなるテーパ形状を有していてもよい。これによれば、押圧部による注射対象領域に対する押圧状態が安定して維持され易くなり、以て、注射対象領域とノズル部との間で所望の接触状態を安定して形成及び維持することができる。
【００１７】
また、前記ノズル部は、その径が、先端面に向かうに従って徐々に小さくなるように形成されてもよい。このような構成によれば、ノズル部が、その先端面の周縁を取り囲む注射対象領域によって固定され易くなり、注射対象領域とノズル部との間で所望の接触状態が維持され易くなる。
【発明の効果】
【００１８】
本発明によれば、注射対象領域とノズル部との間で所望の接触状態を好適に形成することができる。
【図面の簡単な説明】
【００１９】
【図１】本発明の実施形態に係る注射器の概略構成を示す図である。
【図２】対象物の注射対象領域に注射液が注射されるときの該注射対象領域とノズル部の先端面との接触状態を説明するための図である。
【図３Ａ】リムの内径と、注射対象領域の盛り上がり高さと、の関係を説明するための第一の図である。
【図３Ｂ】リムの内径と、注射対象領域の盛り上がり高さと、の関係を説明するための第二の図である。
【図３Ｃ】リムの内径と、注射対象領域の盛り上がり高さと、の関係を説明するための第三の図である。
【図４】リムの内径と、注射対象領域の盛り上がり高さと、の相関を表すグラフである。
【図５】想定範囲を説明するための図である。
【図６】生体の皮膚がリムによって押圧されているときの、生体の皮膚とノズル部の先端面との接触状態を表す図であって、注射器に傾きが生じている場合を示す図である。
【図７】本発明の実施形態の変形例１に係る注射器の概略構成を示す図である。
【図８】変形例１における、生体の皮膚がリムによって押圧されているときの、生体の皮膚とノズル部の先端面との接触状態を表す図である。
【図９】本発明の実施形態の変形例２に係る注射器の概略構成を示す図である。
【図１０】変形例２における、生体の皮膚がリムによって押圧されているときの、生体の皮膚とノズル部の先端面との接触状態を表す図である。
【図１１】実施例１におけるＡの値の範囲と、そのときのリム内径ｄ１と距離Ｌとの関係を表す図である。
【発明を実施するための形態】
【００２０】
以下に、図面を参照して本発明の実施形態に係る注射器として、針のない無針注射器１（以下、単に「注射器１」という）を例に挙げて説明する。なお、以下の実施形態の構成は例示であり、本発明はこれらの実施の形態の構成に限定されるものではない。
【００２１】
＜実施形態＞
図１（ａ）は注射器１の断面図であり、図１（ｂ），（ｃ）は注射器１を、先端側から見た図である。なお、本願の以降の記載においては、注射器１によって対象物の注射対象領域に注射される注射目的物質を「注射液」と総称する。しかし、これには注射される物質の内容や形態を限定する意図は無い。注射目的物質では、皮膚構造体に届けるべき成分が溶解していても溶解していなくてもよく、また注射目的物質も、加圧することで射出口から皮膚構造体に対して射出され得るものであれば、その具体的な形態は不問であり、液体、ゲル状、粉末状等様々な形態が採用できる。
【００２２】
ここで、注射器１は、先端側ハウジング３と基端側ハウジング４とシリンジ部５とを含むハウジング２を有しており、先端側ハウジング３と基端側ハウジング４との間にシリンジ部５が配置されている。そして、これらがネジで固定されて一体となることで、ハウジング２が構成される。ただし、先端側ハウジング３、基端側ハウジング４、及びシリンジ部５は、ネジ以外の公知の方法によっても接続され得る。ここで、基端側ハウジング４の内部には、その軸方向に延在する内部空間である孔４０が形成されている。
【００２３】
シリンジ部５は、注射液ＭＬを収容する収容室（収容部）５０を内部に有する。シリンジ部５は、基端側ハウジング４に対して螺合されて取り付けられており、その取付状態において基端側ハウジング４内の孔４０と、シリンジ部５内の収容室５０とは連続した空間となる。なお、その取付状態では、注射液ＭＬは、プランジャ７によって収容室５０内に液密に収容されており、このプランジャ７が孔４０側に露出した状態となっている。ここで、プランジャ７は、収容室５０内を摺動可能に配置され、さらに、摺動することにより注射液ＭＬを加圧し、射出口からの注射液の射出が行われることになる。また、プランジャ７は、円滑に収容室５０内を摺動できるように、表面にシリコンオイルを薄く塗布したゴム部材により形成される。なお、プランジャ７の摺動性を向上させるため、例えばプランジャ７の表面をフッ素加工してもよい。
【００２４】
そして、基端側ハウジング４内の孔４０には、金属製のピストン６が配置され、該ピストン６は、孔４０内を摺動可能に保持されている。ピストン６は、孔４０の軸方向に沿って延在する概ね軸状に形成され、シリンジ部５に配置されるプランジャ７に接触する第１端部６ａと、該第１端部６ａの反対側に設けられ後述する燃焼室４１を画定する第２端部６ｂと、を有する。また、第２端部６ｂ側におけるピストン６の周囲には、後述する点火薬の燃焼による燃焼生成物を燃焼室４１内に封止するとともに、ピストン６が孔４０内を円滑に摺動可能となるように構成されたＯリング６ｃが配置されている。
【００２５】
更に、基端側ハウジング４において、シリンジ部５が取り付けられた側とは反対側には、イニシエータ２０が配置される。図１（ａ）に示すように、イニシエータ２０は、ハウジング２の基端側の端部に設けられている。そして、イニシエータ２０によって孔４０の一端に形成された燃焼室４１が閉じられる。ここで、孔４０におけるイニシエータ２０とピストン６の第２端部６ｂとによって画定される空間が、燃焼室４１となる。そして、イニシエータ２０に電圧が印加されると、イニシエータ２０が有する点火薬が燃焼する。そうすると、点火薬の燃焼によって生じる燃焼生成物が燃焼室４１に流入し、燃焼室４１内
の圧力が上昇する。このようにして、収容室５０に収容された注射液ＭＬを射出するための射出エネルギーが発生する。なお、イニシエータ２０が、この射出エネルギーを発生させる駆動部となる。
【００２６】
ここで、注射器１において用いられる点火薬として、好ましくは、ジルコニウムと過塩素酸カリウムを含む火薬（ＺＰＰ）、水素化チタンと過塩素酸カリウムを含む火薬（ＴＨＰＰ）、チタンと過塩素酸カリウムを含む火薬（ＴｉＰＰ）、アルミニウムと過塩素酸カリウムを含む火薬（ＡＰＰ）、アルミニウムと酸化ビスマスを含む火薬（ＡＢＯ）、アルミニウムと酸化モリブデンを含む火薬（ＡＭＯ）、アルミニウムと酸化銅を含む火薬（ＡＣＯ）、アルミニウムと酸化鉄を含む火薬（ＡＦＯ）、もしくはこれらの火薬のうちの複数の組合せからなる火薬が挙げられる。これらの火薬は、点火直後の燃焼時には高温高圧のプラズマを発生させるが、常温となり燃焼性生物が凝縮すると気体成分を含まないために発生圧力が急激に低下する特性を示す。なお、これら以外の火薬を点火薬として用いても構わない。
【００２７】
また、図１に示す燃焼室４１内には何も配置されていないが、点火薬の燃焼によって生じる燃焼生成物によって燃焼しガスを発生させるガス発生剤を、燃焼室４１内に配置するようにしてもよい。仮に燃焼室４１内にガス発生剤を配置させる場合、その一例としては、ニトロセルロース９８質量％、ジフェニルアミン０．８質量％、硫酸カリウム１．２質量％からなるシングルベース無煙火薬が挙げられる。また、エアバッグ用ガス発生器やシートベルトプリテンショナ用ガス発生器に使用されている各種ガス発生剤を用いることも可能である。このようなガス発生剤の併用は、上記点火薬のみの場合と異なり、燃焼時に発生した所定のガスは常温においても気体成分を含むため、発生圧力の低下率は小さい。さらに、当該ガス発生剤の燃焼時の燃焼完了時間は、上記点火薬と比べて極めて長いが、燃焼室４１内に配置されるときの該ガス発生剤の寸法や大きさ、形状、特に表面形状を調整することで、該ガス発生剤の燃焼完了時間を変化させることが可能である。このようにガス発生剤の量や形状、配置を調整することで、燃焼室４１内での発生圧力を適宜調整できる。
【００２８】
以上に述べたように構成される注射器１において、シリンジ部５には、更に先端側ハウジング３がシリンジ部５に対して螺合されて取り付けられる。なお、先端側ハウジング３は、ガスケット３ａを挟んでシリンジ部５に取り付けられている。そして、先端側ハウジング３には、ノズル部８及びリム９（押圧部）が該先端側ハウジング３と一体に形成されている。ここで、ノズル部８及びリム９は、ハウジング２の先端側（収容室５０側）の所定の端部である所定端部２ａから突出して設けられている。なお、ノズル部８及びリム９は、先端側ハウジング３とはそれぞれ別体の部品として設けられてもよい。また、ノズル部８及びリム９の突出向きはハウジング２の軸方向と平行であるが、必ずしもその軸に平行である必要はなく、多少傾いていてもよい。
【００２９】
ここで、ノズル部８は、注射器１の中心軸と同軸に形成され、その径が先端側ハウジング３のシリンジ部５側よりも縮径している。そして、ノズル部８の先端面８ａには、射出口８ｂが形成されている。プランジャ７によって加圧された注射液ＭＬは、先端側ハウジング３に形成された流路を流れて射出口８ｂから射出される。詳しくは、イニシエータ２０の点火薬が燃焼することで燃焼室４１内の圧力が上昇すると、ピストン６が注射器１の先端側に向かって摺動する。そして、ピストン６が摺動していくと、プランジャ７が収容室５０に収容された注射液ＭＬを押圧する。その結果、注射液ＭＬが、先端側ハウジング３に形成された流路を流通し、射出口８ｂから注射対象領域に向けて射出されることになる。
【００３０】
なお、射出口８ｂは、ノズル部８の先端面８ａに複数形成されてもよく、または、一つ
形成されてもよい。複数の射出口が形成される場合には、各射出口に対して注射液ＭＬが可及的に均等に送り込まれるように、各射出口に対応する流路がノズル部８に形成される。さらに、複数の射出口が形成される場合には、図１（ｃ）に示すように、注射器１の中心軸の周囲に等間隔で各射出口が配置されるのが好ましい。
【００３１】
そして、先端側ハウジング３におけるノズル部８の周囲にはリム９が形成されている。リム９は、所定端部２ａから突出して円筒状に形成され、図１（ｂ）に示すように、その内径がｄ１として表される。また、リム９の内側には空間１０が形成される。空間１０は、ハウジング２の軸方向における所定端部２ａとリム９の先端面９ａとの間の範囲に属し、且つリム９によって囲まれた空間であって、該空間１０にノズル部８が配置されている。なお、本実施形態では、リム９における内周面と外周面との間隔（幅）は、軸方向に沿って変化せず一定である。また、本実施形態では、リム９は円周方向に連続した環状であるが、後述する本発明の効果が得られる限りは、複数の独立した円弧状に形成することも出来る。ただし、その場合も、円弧の長さは隣接する弧間の距離よりも長くなるように設定される。
【００３２】
ここで、本発明に係る注射器１では、ノズル部８の先端面８ａが、ハウジング２の軸方向における所定端部２ａとリム９の先端面９ａとの間の位置に形成される。本実施形態においては、ハウジング２の軸方向におけるノズル部８の先端面８ａとリム９の先端面９ａとの距離が、距離Ｌとなっている。以下の説明において、ハウジング２の軸方向にリム９の先端面９ａから注射器１の基端側に距離Ｌの位置を、ノズル部８の先端面８ａの「想定位置」と称する。なお、この想定位置の詳細については後述する。
【００３３】
そして、本発明に係る注射器１では、このようにノズル部８の先端面８ａが形成されるとともに、対象物の注射対象領域に注射液ＭＬが注射されるときにリム９によって注射対象領域が押圧されることによって、このときに空間１０に該注射対象領域の一部が侵入することになる。言い換えれば、空間１０が注射対象領域の一部を収容することになる。なお、リム９が、注射対象領域を押圧する押圧部となる。これについて、以下に詳しく説明する。
【００３４】
図２は、対象物の注射対象領域に注射液ＭＬが注射されるときの該注射対象領域とノズル部８の先端面８ａとの接触状態を説明するための図である。本発明では、リム９によって注射対象領域が押圧された状態で、注射液ＭＬの射出が行われる。ここで、図２（ａ）は、注射対象領域の表面とリム９の先端面９ａとが当接した状態を表しており、図２（ｂ）は、図２（ａ）によって表された状態から更にリム９によって注射対象領域が押圧された状態を表している。また、図２（ｃ）は、図２（ｂ）によって表された状態においてイニシエータ２０が作動され、注射液ＭＬの射出が完了した状態を表している。
【００３５】
ここで、リム９は、その先端面９ａが注射対象領域と接触したときに、該注射対象領域において該先端面９ａによって囲まれた所定領域を形成するように構成されている。リム９の先端面９ａが注射対象領域と接触した状態を表す図２（ａ）によって示される例では、この所定領域が領域Ａ１によって表される。図２（ａ）の状態は、注射器１が注射対象領域に対して押圧されていない状態であり、このとき、ノズル部８の先端面８ａは注射対象領域に当接していない。なお、本実施形態では、領域Ａ１によって表される所定領域の幅がリム９の内径ｄ１と等しくなっている。ただし、これに限定する意図はなく、仮にリム９の内径が一定ではない場合（例えば、リム９の横断面形状における内周縁が楕円である場合）には、所定領域の幅にリム９の代表内径（例えば、内径の最大値）を用いてもよい。
【００３６】
そして、注射対象領域がリム９によって押圧されると、図２（ｂ）に示されるように、
リム９に当接する部分の注射対象領域が押し下げられ、領域Ａ１に存在する注射対象領域が空間１０に侵入する。そうすると、注射対象領域とノズル部８の先端面８ａとが接触せしめられる。なお、図２（ｂ）によって表された状態では、注射対象領域とノズル部８との間で後述する所望の接触状態が形成されているものとする。
【００３７】
そして、図２（ｂ）によって示された状態においてイニシエータ２０に電圧が印加されると、点火薬の燃焼によって生じる燃焼生成物が燃焼室４１に流入し、燃焼室４１内の圧力が上昇する。そうすると、プランジャ７によって注射液ＭＬが押圧され、注射液ＭＬは、射出口８ｂから注射対象領域に向けて射出される。その結果、注射器１は、図２（ｃ）によって示される状態に至る。
【００３８】
このように、注射器１では、対象物の注射対象領域に注射液ＭＬが注射されるとき、該注射対象領域とノズル部８の先端面８ａとが接触した状態において、射出口８ｂから注射液ＭＬが射出される。ただし、注射対象領域とノズル部８との間の接触状態は、ユーザの手技差等に起因して変化する可能性がある。仮に、注射対象領域とノズル部８との間で、図２に示したような適切な接触状態が形成されないと、注射液ＭＬを的確に注射対象領域の目的部位に届けることができなくなる虞がある。したがって、ユーザの手技差等によらず、再現性良く図２に示したような注射対象領域とノズル部８との適切な接触状態を形成することができる無針注射器が望まれていた。
【００３９】
そこで、本発明に係る注射器１では、ノズル部８の先端面８ａの想定位置が、上述した所定領域の幅に基づいて定められる。これについて、図３Ａから図３Ｃ及び図４に基づいて説明する。
【００４０】
図３Ａから図３Ｃは、リム９の内径と、注射対象領域がリム９によって押圧されたときの所定領域に存在する注射対象領域の盛り上がり高さ（以下、単に「盛り上がり高さ」と称する。）と、の関係を説明するための図である。図３Ａは、リム９の内径がｄ１のときの盛り上がり高さを、図３Ｂは、リム９の内径がｄ１よりも小さいｄ２のときの盛り上がり高さを、図３Ｃは、リム９の内径がｄ１よりも大きいｄ３のときの盛り上がり高さを図示する。なお、盛り上がり高さを説明するため、図３Ａから図３Ｃにおいては、リム９の内側にノズル部８が配置されない場合を仮定している。
【００４１】
図３Ａに示されるように、リム９の内径がｄ１のときには盛り上がり高さがｈ１となる。ここで、盛り上がり高さは、リム９の先端面９ａからの、所定領域に存在する注射対象領域の盛り上がり高さの最大値として定義される。また、押圧力が同一である場合、注射対象領域表面に対するリム９の先端面９ａの食い込み深さはｈ０で同一となる。そして、図３Ｂに示されるように、リム９の内径がｄ１よりも小さいｄ２のときには、盛り上がり高さがｈ１よりも小さいｈ２となる。また、図３Ｃに示されるように、リム９の内径がｄ１よりも大きいｄ３のときには、盛り上がり高さがｈ１よりも大きいｈ３となる。
【００４２】
このようなリム９の内径ｄと注射対象領域の盛り上がり高さｈとの関係は、図４に示す相関グラフによって表される。図４に示すように、リム９の内径ｄが、所定の下限値ｄｍｉｎ以上で所定の上限値ｄｍａｘ以下の場合、盛り上がり高さｈは、リム９の内径ｄの関数として下記式１によって表される。
ｈ＝ｄ×１／Ａ  ・・・式１
なお、上記式１におけるＡは１よりも大きい定数であって、リム９による押圧力や注射対象領域の弾性、表面硬さ等に応じて定められる。また、所定の下限値ｄｍｉｎは例えば８ｍｍであって、所定の上限値ｄｍａｘは例えば１５ｍｍである。ただし、リム９の内径ｄが極端に小さい場合は実質的に盛り上がり高さｈが０に近い値になると考えられ、リム９の内径ｄは、ノズル部８の外径よりも大きな値に設定される。一方、リム９の内径ｄが
大きくなると、図４に記載した線形関係が崩れてくる部分が出てくると考えられるので、そのような場合は除いて考える。
【００４３】
ここで、本発明の発明者は、注射器１のリム９内の空間１０において上記の図３Ａから図３Ｃのように盛り上がった注射対象領域を、ノズル部８の先端面８ａに自然に接触させることによって、注射液ＭＬを的確に注射対象領域の目的部位に届けることができると考えた。そうすると、上記式１に示した相関に鑑みると、ノズル部８の先端面８ａの想定位置を表す上記の距離Ｌは、所定領域の幅、すなわちリム９の内径ｄ１に基づいて下記式２によって表される。
Ｌ＝ｄ１×１／Ａ  ・・・式２
【００４４】
また、上述した盛り上がり高さは、押圧条件が変化することによっても変化し得る。そこで、本実施形態では、盛り上がり高さのばらつきを考慮して、距離Ｌを下記式３によって表される範囲に含めることができる。
ｄ１×１／Ａ−ｂ≦Ｌ≦ｄ１×１／Ａ＋ｂ  ・・・式３
ここで、ｂは、押圧条件の変化等によって生じ得る盛り上がり高さのばらつきを考慮するための定数であって、以下に示す図５によって説明される。また、上記式３によって表される範囲を、以下「想定範囲」と称する。
【００４５】
図５は、想定範囲を説明するための図である。図５に示すように、本実施形態では、ノズル部８の先端面８ａが、リム９の先端面９ａからの距離が上記式２によって表される位置に設けられている。ただし、ノズル部８の先端面８ａの位置はこれに限定されず、ノズル部８は、先端面８ａが図５に示す想定範囲に属するように形成されてもよい。ここで、想定範囲は、想定位置（図５において、リム９の先端面９ａからの距離がＬの位置として表される。）からハウジング２の軸方向に所定距離（図５におけるｂ）変位した位置を含んで定められる位置範囲である。そして、図５に示すように、想定範囲の全てが、ハウジング２の軸方向における所定端部２ａとリム９の先端面９ａとの間の範囲に含まれる。
【００４６】
そして、ノズル部８が、その先端面８ａが以上に説明した想定範囲に属するように形成されると、所定領域に存在する注射対象領域の盛り上がりがノズル部８によって阻害される事態が可及的に抑制されつつ、該注射対象領域とノズル部８の先端面８ａとが自然に接触せしめられる。なぜなら、空間１０には、所定領域に存在する注射対象領域の自然な盛り上がりを可能にする空間が確保されているからである。
【００４７】
以上に鑑みると、本発明に係る注射器１によれば、対象物の注射対象領域に注射液ＭＬを注射するときに、注射対象領域の目的部位への注射液ＭＬの的確な送達を可能にする注射対象領域とノズル部８との間の接触状態（以下、「所望の接触状態」と称する場合もある。）を好適に形成した状態で注射を行うことが可能となる。そして、例えばリム９によって注射対象領域が押圧された状態において注射器１に傾き等が生じてしまったとしても、注射対象領域とノズル部８との間で所望の接触状態を再現性良く形成することができる。これについて、図６に基づいて説明する。
【００４８】
図６は、生体の皮膚がリム９によって押圧されているときの、生体の皮膚とノズル部８の先端面８ａとの接触状態を表す。なお、図６によって示される例では、リム９によって皮膚が押圧された状態において、注射器１に傾きが生じているものとする。一般的に、ノズルの先端面を皮膚に接触させて注射を行う無針注射器において傾きが生じてしまうと、皮膚とノズル先端面との間に隙間が生じ易くなり、皮膚とノズル先端面との間で所望の接触状態が形成され難くなる。
【００４９】
これに対して、本発明に係る注射器１では、リム９によって皮膚が押圧された状態にお
いて注射器１に傾きが生じたとしても、図６に示すように、空間１０においては皮膚がノズル部８の先端面８ａに向かって自然に盛り上がるため、皮膚と先端面８ａとの間に隙間を生じさせることなく、皮膚と先端面８ａとが接触せしめられる。つまり、注射対象領域とノズル部８との間で所望の接触状態が形成される。そして、このとき、空間１０における注射対象領域の変形態様は、リム９及びノズル部８の幾何学形状による影響が支配的となるため、ユーザの手技差等によらず、注射対象領域とノズル部８との間で所望の接触状態を再現性良く形成することができる。
【００５０】
以上に述べた注射器１によれば、注射対象領域とノズル部８との間で所望の接触状態を好適に形成することができる。その結果、注射対象領域の目的部位への注射液ＭＬの投与を、的確に且つ安定して再現良く行うことが可能となる。
【００５１】
＜実施形態の変形例１＞
次に、上述した実施形態の変形例１について、図７及び図８に基づいて説明する。なお、本変形例において、上述した実施形態と実質的に同一の構成については、その詳細な説明を省略する。図７（ａ）は本変形例に係る注射器１の断面図であり、図７（ｂ），（ｃ）は本変形例に係る注射器１を、先端側から見た図である。
【００５２】
図７（ａ）に示すように、本変形例に係る注射器１では、リム９がテーパ部９ｂを有する。詳しくは、円筒状のリム９の内周面にテーパ部９ｂが形成され、該テーパ部９ｂによって、リム９の内周面と外周面との間隔が、軸方向に沿って先端面９ａに向かうに従って徐々に小さくされる。なお、円筒状のリム９の外周面に、リム９の内周面と外周面との間隔が、軸方向に沿って先端面９ａに向かうに従って徐々に小さくなるようにテーパ部が形成されてもよい。
【００５３】
また、本変形例では、図７（ｂ）に示すように、リム９の先端面９ａにおける内径がｄ２として表される。このとき、ハウジング２の軸方向におけるノズル部８の先端面８ａとリム９の先端面９ａとの距離Ｌ´は、所定領域の幅、すなわちリム９の先端面９ａにおける内径ｄ２に基づいて下記式４によって表される。
Ｌ´＝ｄ２×１／Ａ  ・・・式４
そして、このような注射器１によっても、注射対象領域とノズル部８との間で所望の接触状態を好適に形成及び維持することができる。これについて、図８に基づいて説明する。
【００５４】
図８によって示される例には、図６と同様に、生体の皮膚がリム９によって押圧されているときの、生体の皮膚とノズル部８の先端面８ａとの接触状態が表されている。本変形例に係る注射器１によれば、図８に示すように、リム９が皮膚に対して比較的深く食い込むことになる。これは、押圧力が同じ場合、リム９の先端部が細くなるほど（リム９の先端面９ａの面積が小さくなるほど）、リム９の先端面９ａによって皮膚表面に付加される荷重が集中するからである。そして、このように皮膚が押圧されることによっても、空間１０において、上述した実施形態と同様に皮膚がノズル部８の先端面８ａに向かって自然に盛り上がり、皮膚とノズル部８との間で所望の接触状態が形成される。
【００５５】
そして、このような注射器１によれば、注射対象領域とノズル部８との間で所望の接触状態を安定して形成及び維持することができる。なぜなら、リム９が注射対象領域に対して比較的深く食い込むことで、リム９による注射対象領域に対する押圧状態が安定して維持され易くなるからである。これによれば、例えば注射の操作が行われる過程で注射器１の傾き等が生じてしまったとしても、空間１０において上述したように盛り上がった注射対象領域を、その変形態様で良好に固定することができる。
【００５６】
つまり、注射対象領域とノズル部８との間で所望の接触状態が好適に形成及び維持され、以て、注射対象領域の目的部位への注射液ＭＬの投与を、的確に且つ安定して再現良く行うことが可能となる。
【００５７】
＜実施形態の変形例２＞
次に、上述した実施形態の変形例２について、図９及び図１０に基づいて説明する。なお、本変形例において、上述した実施形態と実質的に同一の構成については、その詳細な説明を省略する。図９（ａ）は本変形例に係る注射器１の断面図であり、図９（ｂ），（ｃ）は本変形例に係る注射器１を、先端側から見た図である。
【００５８】
本変形例に係る注射器１は、ノズル部８は、その径が軸方向に沿って先端面８ａに向かうに従って徐々に小さくなるように形成される。このような注射器１によっても、注射対象領域とノズル部８との間で所望の接触状態を好適に形成及び維持することができる。これについて、図１０に基づいて説明する。
【００５９】
図１０によって示される例には、図６と同様に、生体の皮膚がリム９によって押圧されているときの、生体の皮膚とノズル部８の先端面８ａとの接触状態が表されている。本変形例に係る注射器１によれば、ノズル部８が、その先端面８ａの周縁を取り囲む注射対象領域によって固定され易くなり、注射対象領域とノズル部８との間で所望の接触状態が維持され易くなる。
【００６０】
つまり、注射対象領域とノズル部８との間で所望の接触状態が好適に形成及び維持され、以て、注射対象領域の目的部位への注射液ＭＬの投与を、的確に且つ安定して再現良く行うことが可能となる。
【実施例１】
【００６１】
ここで、本発明に係る注射器１を用いたときのブタ生体への投与実験について、以下にその実験条件と実験結果を示す。なお、本実施例では、注射器１の収容室５０に墨汁１００μＬが充填され、注射器１のリム９によってブタの腹部が押圧された状態で、注射器１が作動された。このとき、ノズル部８の先端面８ａがブタの皮膚表面に接していることが目視確認された。そして、注射器１の作動により墨汁の全量がノズル部８の射出口８ｂから吐出された後、注射器１を皮膚表面から離して患部表面を観察した。また、患部の皮膚を切り出して患部断面を観察した。
【００６２】
＜実験条件＞
（押圧力について）
ブタの腹部の皮膚に対するリム９による押圧力が４〜６Ｎとなるようにした。
（距離Ｌについて）
ノズル部８の先端面８ａの想定位置を表す距離Ｌは、上記式２におけるＡの範囲を１６〜３０とした場合に算出される値とした。ここで、本実施例におけるＡの値の範囲と、そのときのリム９の内径ｄ１と距離Ｌとの関係を図１１に示す。そうすると、図１１において斜線部で表される範囲が、本実施例における距離Ｌの値の範囲となる。そして、本実施例では、距離Ｌを０．５ｍｍとし、且つＡの値を１６、２２、３０とした場合の患部表面及び患部断面を観察した。なお、Ａ＝１６且つＬ＝０．５ｍｍの場合、リム９の内径ｄ１は８ｍｍである。また、Ａ＝２２且つＬ＝０．５ｍｍの場合はｄ１＝１１ｍｍ、Ａ＝３０且つＬ＝０．５ｍｍの場合はｄ１＝１５ｍｍである。
【００６３】
＜実験結果＞
以下の表１に実験結果を示す。なお、実験結果における「液漏れ」は、注射器１から吐出された墨汁がブタの皮膚内に投与されずに皮膚外に漏れ出す事象の有無を表しており、
患部表面の観察によって液漏れの有無が判断される。また、「投与深さ」は、注射器１から吐出された墨汁のブタ生体内における到達部位を表しており、患部断面の観察によって投与深さが判断される。
【表１】
2020014530.tif 000003
【００６４】
（Ａ＝１６の場合）
患部表面の観察によって、液漏れが無いことが確認された。つまり、注射器１から吐出された墨汁は、全量がブタの皮膚内部に注入された。また、患部断面の観察によって、ブタ生体内において墨汁が皮内から皮下にかけて分布していることが確認された。
（Ａ＝２２の場合）
Ａ＝１６の場合と同様に、液漏れが無く、墨汁が皮内から皮下にかけて分布していることが確認された。
（Ａ＝３０の場合）
Ａ＝１６の場合と同様に、液漏れが無く、墨汁が皮内から皮下にかけて分布していることが確認された。
【００６５】
以上の結果より、ノズル部８の先端面８ａはブタの皮膚表面と適切な接触状態になっていることが認められる。
【００６６】
＜その他の実施形態＞
本発明に係る注射器１によれば、例えば、ヒトに対する再生医療の分野において、特開２００８−２０６４７７号公報に示すように、移植される部位及び再細胞化の目的に応じて当業者が適宜決定し得る細胞、例えば、内皮細胞、内皮前駆細胞、骨髄細胞、前骨芽細胞、軟骨細胞、繊維芽細胞、皮膚細胞、筋肉細胞、肝臓細胞、腎臓細胞、腸管細胞、幹細胞、その他再生医療の分野で考慮されるあらゆる細胞を、注射器１により注射することが可能である。より具体的には、上記細胞を含む液（細胞懸濁液）を、収容室５０に収容し、それに対して加圧することで、移植される部位に所定の細胞を注射、移植する。
【００６７】
さらには、特表２００７−５２５１９２号公報に記載されているようなＤＮＡ等の送達にも、本発明に係る注射器１を使用することができる。この場合、針を用いて送達する場合と比較して、本発明に係る注射器１を使用した方が、細胞や足場組織・スキャフォールド等への影響を抑制できるためより好ましいと言える。
【００６８】
さらには、各種遺伝子、癌抑制細胞、脂質エンベロープ等を送達したり、病原体に対する免疫を高めるために抗原遺伝子を投与したりする場合にも、本発明に係る注射器１は好適に使用される。その他、各種疾病治療の分野（特表２００８−５０８８８１号公報、特表２０１０−５０３６１６号公報等に記載の分野）、免疫医療分野（特表２００５−５２３６７９号公報等に記載の分野）等にも、当該注射器１は使用することができ、その使用可能な分野は意図的には限定されない。
【符号の説明】
【００６９】
１・・・・注射器
２・・・・ハウジング
３・・・・先端側ハウジング
４・・・・基端側ハウジング
５・・・・シリンジ部
６・・・・ピストン
７・・・・プランジャ
８・・・・ノズル部
８ａ・・・先端面
８ｂ・・・射出口
９・・・・リム
９ａ・・・先端面
１０・・・・空間
２０・・・・イニシエータ
５０・・・・収容室
【図１】
2020014530.tif 000004
【図２】
2020014530.tif 000005
【図３Ａ】
2020014530.tif 000006
【図３Ｂ】
2020014530.tif 000007
【図３Ｃ】
2020014530.tif 000008
【図４】
2020014530.tif 000009
【図５】
2020014530.tif 000010
【図６】
2020014530.tif 000011
【図７】
2020014530.tif 000012
【図８】
2020014530.tif 000013
【図９】
2020014530.tif 000014
【図１０】
2020014530.tif 000015
【図１１】
2020014530.tif 000016